(57)【要約】      （修正有）【課題】簡単な構成でドア等の物体を所定の状態に保持できるとともに、不要なときは完全に取り外しておくことができるストッパーを提供する。【解決手段】ドアと壁面を連結してドアを開放状態とするためのドアストッパーであって、磁石を保持する一対のホルダー１と、一対のホルダーを連結してなる紐状の連結具２を有してなり、一のホルダーをドア１０１側に、他方のホルダーを磁性体からなる壁面１０２に取り付けてなる。【選択図】図３
0003197233.tif 000002
【実用新案登録請求の範囲】
【請求項１】
物体と固定面を連結して該物体を所定の場所に保持するためのストッパーであって、
上記物体又は固定面に取り付けられる一対の保持体と、上記一対の保持体を連結してなる連結具を有してなり、
上記一の保持体を上記物体側に、他方の保持体を上記固定面に取り付けて上記連結具で連結することで上記物体の動きを規制することで、上記物体を所定の場所に保持する、
ことを特徴とするストッパー。
【請求項２】
上記保持体は磁石又は吸盤からなり、この保持体がホルダーにより保持されることで上記連結具と連結されており、
上記ホルダーの上面から上方に伸びだした持手が一体に構成されている、
請求項１記載のストッパー。
【請求項３】
上記持手には、その基端寄りの位置に、連結具を結合するための穴が形成されている。
請求項２記載のストッパー。
【請求項４】
上記ホルダーを支点として上記ホルダーの接着面側に回動可能に取り付けられた下枠と、上記下枠と一体に構成され、所定の角度で上記ホルダー上面側に位置し、上記連結具が連結される上枠とから構成される把手を有してなる、
請求項２記載のストッパー。
【請求項５】
上記ホルダーは、上記ホルダーの上部に突出した円筒部と、上記円筒部より大径のフランジ部とを有し、
上記ホルダーの円筒部内を摺動可能に構成され、上記ホルダーの縦方向の長さよりも長い軸部と、この軸部の上端に形成された押圧部と、下端に形成された支持部と有するピストンを有してなる、
請求項２記載のアストッパー。
【請求項６】
上記物体はドアであり、上記固定面は壁面である、
請求項１から５のいずれかに記載のストッパー。
【考案の詳細な説明】
【技術分野】
【０００１】
本考案は、ある物を所定の状態に留めて置くためのストッパーに関するのであり、特にドアストッパーとして好適なものである。
【背景技術】
【０００２】
ストッパーとしては、ある物を留めて置くために広く使われており、特にマンションなどの玄関のドアを開放状態にしておくために従来から種々のドアストッパーが用いられている。
従来この種のドアストッパーとしては、最も簡単なものに木製又は合成樹脂製のくさび形のもので、ドアと床の間に置くものが一般に使用されている。しかし、くさび状のドアストッパー、ドアの下端部との間に挟んでドアを停止させるものであるため、床面との間隔によりいろいろな大きさのものが必要となり、また使わないときは邪魔にならないところにおいておくと無くしてしまうなどの問題があった。
【０００３】
また別のものとして、ドア下端部に取り付けてドアを止めるときだけ棒が床側に出て、ドアストッパーとして機能するものがある。しかし、このドアに付けておくと、不要なときに引っかかってしまうなど非常に邪魔となる等の欠点がある。
【０００４】
そのほか、下記のような文献記載の種々のドアストッパーが提案されている。
【先行技術文献】
【特許文献】
【０００５】
【特許文献１】特許第５０７０６３０号公報
【特許文献２】実用新案登録３０９２３７７号公報
【考案の概要】
【考案が解決しようとする課題】
【０００６】
しかし、いずれのストッパーも、構成が複雑で、高価であるばかりでなく、普段使用しないときは邪魔になるなどの問題があった。
【０００７】
本考案は上記課題を解決するためになされたものであって、簡単な構成で物をある状態に保持できるストッパーを提供する。
【課題を解決するための手段】
【０００８】
上記課題を解決するため、本出願にかかるストッパーは、物体と固定面を連結して該物体を所定の場所に保持するためのストッパーであって、上記物体又は固定面に取り付けられる一対の保持体と、上記一対の保持体を連結してなる連結具を有してなり、上記一の保持体を上記物体側に、他方の保持体を上記固定面に取り付けて上記連結具で連結することで上記物体の動きを規制することで、上記物体を所定の場所に保持することを特徴とする。
【０００９】
上記保持体は磁石又は吸盤からなり、この保持体がホルダーにより保持されることで上記連結具と連結されており、上記ホルダーの上面から上方に伸びだした持手が一体に構成されていてもよい。
【００１０】
上記持手には、その基端寄りの位置に、連結具を結合するための穴が形成されていてもよい。
【００１１】
上記ホルダーを支点として、上記ホルダーの磁石の接着面側に回動可能に取り付けられた下枠と、上記下枠と一体に構成され、所定の角度で上記ホルダー上面側に位置し、上記連結具が連結される上枠とから構成される把手を有していてもよい。
【００１２】
上記ホルダーは、上記ホルダーの上部に突出した円筒部と、上記円筒部より大径のフランジ部とを有し、上記ホルダーの円筒部内を摺動可能に構成され、上記ホルダーの縦方向の長さよりも長い軸部と、この軸部の上端に形成された押圧部と、下端に形成された支持部と有するピストンを有していてもよい。
また、上記物体はドアであり、上記固定面は壁面であってもよい。
【考案の効果】
【００１３】
本考案よれば、構成が簡単で、安価であるばかりか、普段使用しないときは完全に取り外すことができ大変便利である。
【図面の簡単な説明】
【００１４】
【図１】本考案の第１の実施形態にかかるドアストッパーの正面図。
【図２】第１の実施形態にかかるドアストッパーの（ａ）断面図、（ｂ）底面図。
【図３】第１の実施形態にかかるドアストッパーの使用状態を示した正面図。
【図４】第１の実施形態にかかるドアストッパーの使用状態を示した上面図。
【図５】第１の実施形態にかかるドアストッパーの（ａ）使用状態、（ｂ）取り外し方法を示した側面図。
【図６】本考案の第２の実施形態にかかるドアストッパーの（ａ）使用状態、（ｂ）取り外し方法を示した側面図。
【図７】第２の実施形態にかかる把手の斜視図。
【図８】本考案の第３の実施形態にかかるドアストッパーの（ａ）使用状態、（ｂ）取り外し方法を示した側部断面図。
【図９】第３の実施形態にかかるドアストッパーの底面図。
【図１０】連結具としてカールコードを用いた例を示したドアストッパーの正面図。
【考案を実施するための形態】
【００１５】
本考案かかるストッパーをドアストッパーに適用した一つの実施形態について図面を参照して説明する、
図１は、本実施形態にかかるドアストッパーの一例を示したものである。
図１に示すように本実施形態のドアストッパーは、２つの磁石部１、１と、それを連結するための連結具２を有している。
連結具２は、紐状に構成されており、繊維又は樹脂などにより構成してもよいし、チェーンなど金属製のものでもよいし、またこれらを組み合わせたものでもよく、ドアをつなぎとめておける強度を有するものであればよい。
【００１６】
磁石部１は、図２に示すようにホルダー１１と、ホルダー１１の上部中央から立ち上がった持手部１２と、ホルダー１１内に収納された磁石１４を有している。
ホルダー１１は、下方に開口した中空円柱状に形成されており、この中空部分に磁石１４を保持できるようになっている。
持手部１２は、ホルダー１１と一体に、その上面中央部から垂直に立ち上がる円柱状に形成されている。また持手部１２の上端部は、柱部分よりも大径の球状になっており、これにより人が持ちやすくなっている。また持手部１２の柱部分のホルダー１１寄りには連結具２を通すための穴１３が形成されている。これにより穴１３に応力がかかった場合にでも、持手部１２の先端（円柱部）にあるよりは、てこの原理で磁石１４を持ち上げる応力が小さくなり、不用意にドアストッパーが外れてしまうことを防止できる。
穴１３を設ける位置については、この例では、持手部１３の下端側に設けられているが、先端の球状部分に穴１３１のように設けてもよい。
なお、ホルダー１１及び持手部１２は樹脂又は金属によって構成することができる。
【００１７】
磁石１４はリング状に形成されており、ホルダー１１の中空部に接着剤などにより取り付けられている。磁石１４の形状は円柱状でも、また角柱状でも任意である。また磁石１４の種類もフェライト磁石、ネオジウム磁石など特に限定されない。
【００１８】
次に、上述の実施形態のドアストッパーの使い方について説明する。
図３、図４において、ドア１０１を開放状態に保つためには、ドアストッパーの一端の磁石部１を金属性のドア１０１の内面（屋内）側に取り付け、他端の磁石部１を屋外の金属性の壁面１０２（例えば、屋外のガスメーターの扉など）に取り付ける。
これにより、磁石１４がドア１０１と、壁面１０２にそれぞれ吸着した状態で、連結具２によりドア１０１は開放状態で繋ぎ止められる。
特に、ドア１０１側の磁石部１を内面側に取り付けることで、連結具２の途中がドア１０１の側端部に接触して摩擦が発生することで、ドア１０１側の磁石部１は取れにくくなる。
【００１９】
また、ドアストッパー１を取り外す場合は、図５（ａ）に示すように、持手部１２をもっていいずれか一方（図示では下方）に倒すようにする。これにより、図５（ｂ）に示すように、てこの原理で磁石部１はホルダー１１の下端部を支点として、磁石１４の上端部が
磁力に抗して比較的容易に持ち上げられ、磁石部１をドア１０１、壁面１０２から取り外すことができる。
【００２０】
このように、上述の第１の実施形態によれば、磁石部１により簡単にドア１０１や壁面１０２に着脱できるため、取り扱いが簡単で、安価な製品とすることができる。
不要なときは、磁石部１を取り外してしまっておくことで、通常時は邪魔になることなく、すっきりと片付けることができる。
また、ドア１０１と壁面１０２の取り付け位置は限定されないため、大人から子供まで誰でも簡単に、自分の背の高さなどにおうじて留めやすい位置にドアストッパーを取り付けることができる。
また、持手部１２が設けられているため、磁石１４の磁力が強い場合でも、簡単に取り外しができる。
また、連結具２の取り付け位置を、持手部１２の基端（下端）側に穴１３を設けて取り付けたため、使用中に連結具２から受ける力によって、外れることを防止できる。
【００２１】
次に第２の実施形態について図６、図７を参照して説明する。
図６に示した例では、上述の持手部構造を変えたものであり、変更がない構成については、同じ符号を付して説明を省略する。
図６において、フレーム１１の外周部には、枠状の把手３１が取り付けられている。
この把手３１は、図７に示すように、取り外しの際に持つための上枠３１１と、上枠３１１と支点３１２を介して一体に構成され、磁石１４の取り付け面に位置する下枠３１３からなっている。
把手３１の幅は、ホルダー１１の直径よりも大きく形成されており、支点３１２の内面側でホルダー１１に対して回動可能に取り付けられている。
上枠３１１と下枠３１３がなす角は、鈍角に構成されている。これにより、使用状態で上枠３１１が飛び出して邪魔になることがなく、また操作もしやすくなる。
なお、この角度は直角又は鋭角であってもよい。
【００２２】
この使い方にについて図６を参照して説明する。
まず、ドアを開放状態に保つ場合には、図６（ａ）の実線で示したように、下枠３１３はホルダー１１の底面よりも持ち上げられた状態となっている。なお、図示ししていないが、上枠３１１には連結具２が取り付けられており、他端側の把手３１と連結されている。
この状態から、上枠３１１を図示右方向に回転させると、支点３１２を中心として下枠３１３が下方に回転し、図６（ｂ）に示すように、ホルダー１１をその磁石１４の接着面から持ち上げるように回転する。これにより、接着面に対して強力な磁石１４により接着していても、簡単に取り外すことができる。
【００２３】
次に第３の実施形態について図８、図９を参照して説明する。
図８及び図９に示した実施例は、取り外しのためにホルダー４１に対して取り外しのためのピストン４２を使った例である。
図８，図９において、ホルダー４１は、その上端部に伸びだした円筒部４１ｂと、この円筒部４１ｂより大径に構成されたフランジ部４１ａを有している。
円筒部４１ｂは、中空円筒状に形成され、中空部にピストン４２の軸４２ｃが摺動可能に配置できるようになっている。この円筒部４１ｂには、図示しないが、連結具２が取り付けられることで、上述の第１の実施形態と同様の構造をとることができるようになっている。
またフランジ部４１ａは、円筒部４１ｂより大径に構成されることで、このフランジ部４１ａに指を掛けて操作できるように構成されている。
【００２４】
また、ピストン４２は、円筒部４１ｂ内を摺動する軸部４２ｃと、この軸部４２ｃの上端部に形成され、この軸部４２ｃよりも大径に構成された押圧部４２ａと、軸部４２ｃの下端部に形成され、この軸部４２ｃよりも大径に構成された支持部４２ｂを有している。
この支持部４２ｂは円環状の磁石１４の中空部に納まるような径を有している。
また、ピストン４２の長さ（図示縦方向の高さ）は、磁石１４が接着した状態で、押圧部４２ａがフランジ部４１ａよりわずかに持ち上がる長さとなっている。
【００２５】
次にこの使い方について説明する。
まず、ドア開放状態つまり、磁石１４が接着面に接着した状態では、図６（ａ）に示すように、ピストン４２の支持部４２ｂ底面が磁石１４の底面と面一となっている。この状態では、押圧部４２ａは、フランジ部４１ａの上面よりもわずかにＸだけ浮き上がった状態となっている。
この状態で、押圧部４２ａに手を掛けて、フランジ部４１ａを上方に引き上げると、円筒部４１ｂは軸部４２ｃに対して滑るようにして、ホルダー４１自体が持ち上がる。これにより、支持部４２ｂに支持された形で、ホルダー４２全体を、磁石４１の磁力に抗して持ち上げることができる。
これにより、より簡単に磁石の取り外しをすることができる。
【００２６】
上述の実施形態１〜３の例では、両端に磁石を取り付けた例について説明したが、少なくとも一端部又は両端部を磁石以外の保持体、例えば、吸盤（強力な吸着力を有するものがよい。）やフックなどでもよい。
これにより、磁石の場合は壁面が磁性体で無ければならないが、磁性体以外の壁面も利用してドアを開放状態に保つことができる。
【００２７】
また、ドアや壁面に突起物がある場合、磁石に変えて少なくとも一方の保持体を針金で構成してもよい。
また、保持体としては、これらを組み合わせて使用することができる。例えば、両端が磁石―石、磁石―吸盤、磁石―フック、吸盤−フック、吸盤―吸盤、フックーフックなどに組み合わせてもよく、場所に応じて組み合わせを変えることができる。
また、一端側にそれぞれ２ないしは３つの保持体を設けておいてもよい。これにより、壁面が磁性体の場合は磁石、磁性体ではない場合は吸盤、突起物がある場合はフックなど使い分けることもできる。
【００２８】
また上述の各実施形態では、連結具２として、チェーンなど金属製のもの等で構成した例について説明したが、直線状のものだけでなく、図１０に示すようにカールコードであってもよい。
図１０に示す連結具２０をカールコードとした例について示している。このカールコードは、中心にカールしたらせん状のワイヤーなどが入っており、必要に応じてその周囲をモビロンなどの樹脂により被覆されている。この連結具２は、磁石１に対して図示上下方向に回動可能となっている。これにより、使用しないときは、連結具２０としてのカールコードの弾性により小さくまとめることができるし、使用時はカールコードが広がった状態でドアを保持でき、非常に便利である。
【００２９】
上述いずれの実施形態のドアストッパーに関するものであるが、本考案はこれに限定されるものではなく、例えば、耐震用に家具や家電を壁面に連結するストッパーとして応用することができる。その他磁性体からなる物体を所定の場所に保持することにも応用可能である。
【符号の説明】
【００３０】
１      磁石部
２      連結具
１１    ホルダー
１２    持手部
１３    穴
１４    磁石
２０    連結具
１０１  ドア
１０２  壁面
３１    把手
３１１  上枠
３１２  支点
３１３  下枠
４１    ホルダー
４１ａ  フランジ部
４１ｂ  円筒部
４２    ピストン
４２ａ  押圧部
４２ｂ  支持部
４２ｃ  軸部
【図１】
0003197233.tif 000003
【図２】
0003197233.tif 000004
【図３】
0003197233.tif 000005
【図４】
0003197233.tif 000006
【図５】
0003197233.tif 000007
【図６】
0003197233.tif 000008
【図７】
0003197233.tif 000009
【図８】
0003197233.tif 000010
【図９】
0003197233.tif 000011
【図１０】
0003197233.tif 000012